(57)【要約】【課題】内容物を散乱させずに袋本体内の空気を安定して抜き出すことができ、かつ高い密封性で袋本体の開口部を閉じることができる嵌合具、及び該嵌合具を備えた嵌合具付き袋体を提供する。【解決手段】第１の基材１６から立ち上がる突条の幹部１８ａ、並びに幹部１８ａの先端側の第１の頭部１８ｂ及び第２の頭部１８ｃを有する雄型嵌合部１８と、第１の頭部１８ｂが嵌まり込む第１の嵌合空間２２ｆ及び第２の頭部１８ｃが嵌まり込む第２の嵌合空間２２ｇを含む凹部２２ｅを形成する雌型嵌合部２２とを有し、第１の頭部１８ｂの大きさが第２の嵌合空間２２ｇの大きさよりも小さく、嵌合したときに第１の頭部１８ｂ及び第２の頭部１８ｃの外面と雌型嵌合部２２の内面との少なくとも一部が長手方向に沿って連続的に密着する、嵌合具１０。また、嵌合具１０を具備する嵌合具付き袋体。【選択図】図１
2015016018.tif 000002
【特許請求の範囲】
【請求項１】
一対の帯状の第１の嵌合部材及び第２の嵌合部材を有し、
前記第１の嵌合部材が、帯状の第１の基材と、前記第１の基材に長手方向に沿って設けられた雄型嵌合部と、を有し、
前記第２の嵌合部材が、帯状の第２の基材と、前記第２の基材に長手方向に沿って設けられ、前記雄型嵌合部と着脱自在に嵌合する雌型嵌合部と、を有し、
前記雄型嵌合部が、前記第１の基材の対向面から立ち上がる突条の幹部と、前記幹部の先端部に設けられた該幹部よりも大きい頭部と、を有し、
前記雌型嵌合部が、前記第２の基材の対向面に形成された一対の突条のアーム部と、それら一対のアーム部の互いの内面から突き出るように長手方向に沿って形成された一対の突条部と、を有し、
前記一対のアーム部の間に、前記一対の突条部よりも前記第１の基材側の第１の嵌合空間と、前記一対の突条部よりも前記第２の基材側の第２の嵌合空間とを含む凹部が形成され、
前記雄型嵌合部の頭部が前記第１の嵌合空間に嵌め込まれたときに、前記雄型嵌合部と前記雌型嵌合部との間に気体が通過する隙間が形成され、
前記雄型嵌合部の頭部が前記第２の嵌合空間に嵌め込まれたときに、前記雄型嵌合部と前記雌型嵌合部の少なくとも一部が長手方向に沿って連続的に密着する、嵌合具。
【請求項２】
内容物を収容する袋本体と、前記袋本体の内面に取り付けられた請求項１に記載の嵌合具と、を具備する嵌合具付き袋体。
【発明の詳細な説明】
【技術分野】
【０００１】
本発明は、嵌合具及び嵌合具付き袋体に関する。
【背景技術】
【０００２】
食品、薬品、雑貨等の様々な分野において、袋本体の開口部近傍の内面に、開口部を開閉自在に封じる嵌合具が取り付けられた嵌合具付き袋体が広く用いられている。
例えば、図１０に例示した嵌合具１００を備えた嵌合具付き袋体が知られている（例えば、特許文献１）。嵌合具１００は、一対の帯状の第１の嵌合部材１１２及び第２の嵌合部材１１４を有する。第１の嵌合部材１１２は、帯状の第１の基材１１６と、第１の基材１１６の対向面１１６ａに長手方向に形成された突条の雄型嵌合部１１８とを有する。第２の嵌合部材１１４は、帯状の第２の基材１２０と、第２の基材１２０の対向面１２０ａに長手方向に形成された、雄型嵌合部１１８に着脱自在に嵌合する雌型嵌合部１２２とを有する。
【０００３】
雄型嵌合部１１８は、第１の基材１１６の対向面１１６ａから立ち上がる幹部１１８ａと、幹部１１８ａの先端側に設けられた該幹部１１８ａよりも大きな頭部１１８ｂとを有している。
雌型嵌合部１２２は、第２の基材１２０の対向面１２０ａから略円弧状に立ち上がる一対のアーム部１２２ａ，１２２ｂを有し、それら一対のアーム部１２２ａ，１２２ｂによって凹部１２２ｃが形成されている。
【０００４】
嵌合具１００を備えた嵌合具付き袋体では、嵌合具１００の雄型嵌合部１１８の頭部１１８ｂを雌型嵌合部１２２の凹部１２２ｃに嵌め込んで嵌合することにより、袋本体に形成された開口部を閉じることができる。また、嵌合具１００が取り付けられた袋本体の各々の開口端をそれぞれ把持し、それらを離間する方向に引っ張り、雄型嵌合部１１８の頭部１１８ｂを雌型嵌合部１２２の凹部１２２ｃから脱離させることで、袋本体の開口部を開くことができる。
【０００５】
また、粉体が雌型嵌合部内に詰まっても袋本体の開口部を安定して閉じることができる嵌合具付き袋体として、図１１に例示した嵌合具２００を備えた嵌合具付き袋体も知られている（特許文献２）。
嵌合具２００は、一対の帯状の第１の嵌合部材２１２及び第２の嵌合部材２１４を有する。第１の嵌合部材２１２は、帯状の第１の基材２１６と、第１の基材２１６の対向面２１６ａに長手方向に形成された突条の雄型嵌合部２１８とを有する。第２の嵌合部材２１４は、帯状の第２の基材２２０と、第２の基材２２０の対向面２２０ａに長手方向に形成された、雄型嵌合部２１８に着脱自在に嵌合する雌型嵌合部２２２とを有する。
【０００６】
雄型嵌合部２１８は、第１の基材２１６の対向面２１６ａから立ち上がる幹部２１８ａと、幹部２１８ａの先端側から順に設けられた該幹部２１８ａよりも大きな第１の頭部２１８ｂ及び第２の頭部２１８ｃとを有している。
雌型嵌合部２２２は、第２の基材２２０の対向面２２０ａから略円弧状に立ち上がる一対のアーム部２２２ａ，２２２ｂを有し、それら一対のアーム部２２２ａ，２２２ｂによって凹部２２２ｃが形成されている。
【０００７】
嵌合具２００を備えた嵌合具付き袋体では、雄型嵌合部２１８の第１の頭部２１８ｂ及び第２の頭部２１８ｃを雌型嵌合部２２２の凹部２２２ｃに嵌め込んで嵌合することで、袋本体に形成された開口部を閉じることができる。また、嵌合具２００では、雌型嵌合部２２２の凹部２２２ｃ内に粉体等が入り込んだ状態でも、雄型嵌合部２１８の第１の頭部２１８ｂが雌型嵌合部２２２の凹部２２２ｃに嵌まり込めば袋本体の開口部を閉じることができる。そのため、粉体等を収容する際でも袋本体の開口部を安定して閉じることができる。
【先行技術文献】
【特許文献】
【０００８】
【特許文献１】特開２００３−１６０１４７号公報
【特許文献２】特開２００４−１５５４５９号公報
【発明の概要】
【発明が解決しようとする課題】
【０００９】
このような、嵌合具１００、嵌合具２００等の嵌合具を備える嵌合具付き袋体においては、吸湿による内容物の変質を抑制する等の目的で、嵌合具によって袋本体の開口部を閉じた際に高い密封性が求められることが多い。しかし、高い密封性で開口部を閉じることが可能な嵌合具付き袋体では、嵌合具によって袋本体の開口部を閉じる際に、袋本体内に空気が充満し、袋本体が膨らんだ状態となりやすい。
【００１０】
袋本体が膨らまないように開口部を閉じる方法としては、例えば、以下の方法が挙げられる。袋本体の開口部の側縁近傍のみが部分的に開いた状態となるように雄型嵌合部と雌型嵌合部の大部分を嵌合させる。開口部の部分的に開いた部分から袋本体内の空気を押し出した後に、残りの部分の雄型嵌合部と雌型嵌合部を嵌合させて開口部を完全に閉じる。しかし、該方法では、特に袋本体内に粉体を収容している場合に、内容物が噴き出して周りに散乱しやすい。
【００１１】
本発明は、内容物を散乱させずに袋本体内の空気を安定して抜き出して、高い密封性で袋本体の開口部を閉じることができる嵌合具、及び該嵌合具を備えた嵌合具付き袋体を提供する。
【課題を解決するための手段】
【００１２】
本発明の嵌合具は、一対の帯状の第１の嵌合部材及び第２の嵌合部材を有し、前記第１の嵌合部材が、帯状の第１の基材と、前記第１の基材に長手方向に沿って設けられた雄型嵌合部と、を有し、前記第２の嵌合部材が、帯状の第２の基材と、前記第２の基材に長手方向に沿って設けられ、前記雄型嵌合部と着脱自在に嵌合する雌型嵌合部と、を有し、前記雄型嵌合部が、前記第１の基材の対向面から立ち上がる突条の幹部と、前記幹部の先端部に設けられた該幹部よりも大きい頭部と、を有し、前記雌型嵌合部が、前記第２の基材の対向面に形成された一対の突条のアーム部と、それら一対のアーム部の互いの内面から突き出るように長手方向に沿って形成された一対の突条部と、を有し、前記一対のアーム部の間に、前記一対の突条部よりも前記第１の基材側の第１の嵌合空間と、前記一対の突条部よりも前記第２の基材側の第２の嵌合空間とを含む凹部が形成され、前記雄型嵌合部の頭部が前記第１の嵌合空間に嵌め込まれたときに、前記雄型嵌合部と前記雌型嵌合部との間に気体が通過する隙間が形成され、前記雄型嵌合部の頭部が前記第２の嵌合空間に嵌め込まれたときに、前記雄型嵌合部と前記雌型嵌合部の少なくとも一部が長手方向に沿って連続的に密着する。
【００１３】
本発明の嵌合具付き袋体は、内容物を収容する袋本体と、前記袋本体の内面に取り付けられた本発明の嵌合具と、を具備する。
【発明の効果】
【００１４】
本発明の嵌合具を用いれば、内容物を散乱させずに袋本体内の空気を安定して抜き出して、高い密封性で袋本体の開口部を閉じることができる。
本発明の嵌合具付き袋体では、内容物を散乱させずに袋本体内の空気を安定して抜き出して、高い密封性で袋本体の開口部を閉じることができる。
【図面の簡単な説明】
【００１５】
【図１】本発明の嵌合具の一例を示した断面図である。
【図２】図１の嵌合具の雄型嵌合部の第１の頭部のみを雌型嵌合部に嵌め込んだ様子を示した断面図である。
【図３】図１の嵌合具の雄型嵌合部の第１の頭部及び第２の頭部を雌型嵌合部に嵌め込んだ様子を示した断面図である。
【図４】本発明の嵌合具の他の例を示した断面図である。
【図５】本発明の嵌合具の他の例を示した断面図である。
【図６】本発明の嵌合具の他の例を示した断面図である。
【図７】本発明の嵌合具付き袋体の一例を示した正面図である。
【図８】図７の嵌合具付き袋体Ａ−Ａ断面図である。
【図９】図７の嵌合具付き袋体の上部に開口部を形成した様子を示した斜視図である。
【図１０】従来の嵌合具の一例を示した断面図である。
【図１１】従来の嵌合具の一例を示した断面図である。
【発明を実施するための形態】
【００１６】
＜嵌合具＞
本発明の嵌合具は、内容物を収容する袋本体の内面に、該袋本体に形成される開口部に沿うように取り付けられ、該開口部を開閉自在に閉じるものである。以下、本発明の嵌合具の一例を示して詳細に説明する。図１は、本実施形態例の嵌合具１０を長手方向に垂直な方向に切断した断面図である。他の嵌合具の断面図についても同様である。
【００１７】
本実施形態の嵌合具１０は、図１に示すように、一対の帯状の第１の嵌合部材１２及び第２の嵌合部材１４を有する。
第１の嵌合部材１２は、帯状の第１の基材１６と、第１の基材１６の対向面１６ａに長手方向に沿って設けられた雄型嵌合部１８と、を有する。第２の嵌合部材１４は、帯状の第２の基材２０と、第２の基材２０の対向面２０ａに長手方向に沿って設けられ、雄型嵌合部１８と着脱自在に嵌合する雌型嵌合部２２と、を有する。
【００１８】
雄型嵌合部１８は、第１の基材１６の対向面１６ａから立ち上がる突条の幹部１８ａと、幹部１８ａの先端側から順に設けられた幹部１８ａよりも大きい第１の頭部１８ｂ及び第２の頭部１８ｃと、を有する。第１の頭部１８ｂは幹部１８ａの先端部に形成され、第２の頭部１８ｃは幹部１８ａにおける第１の頭部１８ｂよりも第１の基材１６側に形成されている。
【００１９】
雌型嵌合部２２は、第２の基材２０の対向面２０ａに形成された一対の突条の第１のアーム部２２ａ及び第２のアーム部２２ｂと、第１のアーム部２２ａの内面から突き出るように長手方向に沿って形成された第１の突条部２２ｃと、第２のアーム部２２ｂの内面から突き出るように長手方向に沿って形成された第２の突条部２２ｄと、を有する。第１の突条部２２ｃと第２の突条部２２ｄは、第１のアーム部２２ａ及び第２のアーム部２２ｂにおいて対向するように設けられている。
雌型嵌合部２２では、第１のアーム部２２ａ及び第２のアーム部２２ｂの間に、雄型嵌合部１８の第１の頭部１８ｂ及び第２の頭部１８ｃが嵌まり込む凹部２２ｅが形成されている。
【００２０】
雌型嵌合部２２の凹部２２ｅは、第１の突条部２２ｃ及び第２の突条部２２ｄよりも第１の基材１６側の第１の嵌合空間２２ｆと、第１の突条部２２ｃ及び第２の突条部２２ｄよりも第２の基材２０側に位置する第２の嵌合空間２２ｇとを含んでいる。
【００２１】
嵌合具１０では、雄型嵌合部１８の第１の頭部１８ｂを雌型嵌合部２２の凹部２２ｅの第１の嵌合空間２２ｆに嵌め込んだ状態では、図２に示すように、雄型嵌合部１８と雌型嵌合部２２との間に気体が通過する隙間が形成されるようになっている。
【００２２】
また、嵌合具１０では、雄型嵌合部１８の第１の頭部１８ｂを雌型嵌合部２２における凹部２２ｅの第２の嵌合空間２２ｇに嵌め込んだ状態では、図３に示すように、雄型嵌合部１８の第２の頭部１８ｃが雌型嵌合部２２における凹部２２ｅの第１の嵌合空間２２ｆに嵌まり込むようになっている。
また、この例では、雄型嵌合部１８の第１の頭部１８ｂを雌型嵌合部２２における凹部２２ｅの第２の嵌合空間２２ｇに嵌め込んだ状態では、雄型嵌合部１８の第１の頭部１８ｂ及び第２の頭部１８ｃの外面と、雌型嵌合部２２の内面とが長手方向に連続して密着するようになっている。
【００２３】
第１の基材１６としては、特に限定されず、公知の嵌合具の基材に使用されるものが使用でき、積層フィルムであることが好ましい。積層フィルムとしては、例えば、対向面１６ａ側から、耐熱層とヒートシール層が積層されたフィルムが挙げられる。また、前記耐熱層とヒートシール層の間にはバリア層が形成されていてもよい。
耐熱層の材質としては、例えば、示差走査熱量計（ＤＳＣ）による最高融解ピーク温度が１２０℃以上であるポリエチレン、ポリプロピレン等のオレフィン系樹脂、ポリエステル系樹脂等が挙げられる。
ヒートシール層の材質としては、耐熱層よりも融点が低い樹脂がよく、例えば直鎖状低密度ポリエチレン、ポリプロピレン、エチレン−酢酸ビニル共重合体、エチレン−アクリル酸エステル共重合体、エチレン−メタクリル酸エステル共重合体、アイオノマー等が挙げられる。
バリア層の材質としては、ポリビニルアルコール等が挙げられる。
【００２４】
第１の基材１６は、１種の樹脂からなっていてもよく、２種以上の樹脂を含む樹脂組成物からなっていてもよい。
また、第１の基材１６は、積層フィルムには限定されず、単層フィルムであってもよい。
また、第１の基材１６には、必要に応じて安定剤、酸化防止剤、滑剤、帯電防止剤、着色剤等の公知の添加剤が添加されていてもよい。
【００２５】
第２の基材２０としては、特に限定されず、例えば、第１の基材１６で挙げたものと同じものが挙げられ、好ましい態様も同じである。
雄型嵌合部１８及び雌型嵌合部２２の材質としては、公知のものが使用でき、例えば、第１の基材１６で挙げた材質と同じ材質等が使用できる。
【００２６】
嵌合具１０の製造方法としては、特に限定されず、例えば、押出成形等の公知の方法を採用できる。
【００２７】
以上説明した嵌合具１０を、袋本体に形成される開口部に沿うように該袋本体の内面に取り付けることで、内容物を散乱させずに袋本体内の空気を安定して抜き出して、高い密封性で袋本体の開口部を閉じることができる。
具体的には、嵌合具１０によって袋本体の開口部を閉じる際、まず嵌合具１０の長手方向における少なくとも一部において、雄型嵌合部１８の第１の頭部１８ｂが雌型嵌合部２２における凹部２２ｅの第１の嵌合空間２２ｆに嵌め込まれるように、雄型嵌合部１８と雌型嵌合部２２とを長手方向に全体的に嵌合させる。このとき、雄型嵌合部１８の第１の頭部１８ｂが雌型嵌合部２２における凹部２２ｅの第１の嵌合空間２２ｆに嵌め込まれている部分では、図２に示すように、雄型嵌合部１８と雌型嵌合部２２の間に気体が通過する隙間が形成されている。そのため、袋本体の開口部が嵌合具１０によって閉じられている状態でも、前記隙間を通じて袋本体内の空気を抜き出すことができる。このように、嵌合具１０を用いれば、嵌合具１０の雄型嵌合部１８と雌型嵌合部２２とを嵌合させた状態で前記隙間を利用して袋本体内の空気を排出させることができるため、その際に袋本体内の内容物が噴き出して周囲に散乱することを抑制できる。
【００２８】
また、袋本体内の空気を排出した後、図３に示すように、嵌合具１０の長手方向に全体的に、雄型嵌合部１８の第１の頭部１８ｂを雌型嵌合部２２における凹部２２ｅの第２の嵌合空間２２ｇに嵌め込むことで、雄型嵌合部１８と雌型嵌合部２２とを完全に嵌合させる。このとき、雄型嵌合部１８の第１の頭部１８ｂ及び第２の頭部１８ｃの外面が、雌型嵌合部２２の内面に長手方向に沿って連続して密着し、気体が雄型嵌合部１８と雌型嵌合部２２の間を通過することが妨げられている。このように、雄型嵌合部１８と雌型嵌合部２２とを完全に嵌合させた状態では、袋本体における雄型嵌合部１８及び雌型嵌合部２２の底側と開口部側とが隔離される。そのため、高い密封性で袋本体の開口部を閉じることができる。
以上のように、嵌合具１０を用いて２段階に嵌合を行うことで、内容物を散乱させずに袋本体内の空気を安定して抜き出して、高い密封性で袋本体の開口部を閉じることができる。
【００２９】
なお、本発明の嵌合具は、前記した嵌合具１０には限定されない。
例えば、図４に例示した嵌合具１０Ａであってもよい。図４における図３と同じ部分は同符号を付して説明を省略する。
嵌合具１０Ａは、雌型嵌合部２２の代わりに雌型嵌合部２２Ａを有している以外は嵌合具１０と同じである。雌型嵌合部２２Ａは、雄型嵌合部１８の第１の頭部１８ｂが凹部２２ｅの第２の嵌合空間２２ｇに嵌め込まれたときに、雄型嵌合部１８の第１の頭部１８ｂと雌型嵌合部２２Ａとの間に隙間が形成される以外は、雌型嵌合部２２と同じである。
【００３０】
嵌合具１０Ａでは、雄型嵌合部１８の第１の頭部１８ｂを雌型嵌合部２２Ａにおける凹部２２ｅの第１の嵌合空間２２ｆに嵌め込んだ状態では、嵌合具１０と同様に、雄型嵌合部１８の第１の頭部１８ｂの外面と雌型嵌合部２２Ａの内面との間に隙間が形成される。そのため、嵌合具１０Ａを用いることで、内容物を散乱させずに袋本体内の空気を安定して抜き出すことができる。
また、雄型嵌合部１８の第１の頭部１８ｂを雌型嵌合部２２Ａにおける凹部２２ｅの第２の嵌合空間２２ｇに嵌め込んだ状態においては、雄型嵌合部１８の第２の頭部１８ｃの外面が雌型嵌合部２２Ａの内面に長手方向に沿って連続して密着し、気体が雄型嵌合部１８と雌型嵌合部２２Ａの間を通過することが妨げられている。このように、雄型嵌合部１８と雌型嵌合部２２Ａを完全に嵌合させた状態では、袋本体における雄型嵌合部１８及び雌型嵌合部２２Ａの底側と開口部側とが隔離される。
以上のことから、嵌合具１０Ａにおいても、嵌合具１０と同様に２段階に嵌合を行うことで、内容物を散乱させずに袋本体内の空気を安定して抜き出して、高い密封性で袋本体の開口部を閉じることができる。
【００３１】
また、図５に例示した嵌合具１０Ｂであってもよい。図５における図３と同じ部分は同符号を付して説明を省略する。
嵌合具１０Ｂは、雌型嵌合部２２の代わりに雌型嵌合部２２Ｂを有している以外は嵌合具１０と同じである。雌型嵌合部２２Ｂは、雄型嵌合部１８の第１の頭部１８ｂを凹部２２ｅの第２の嵌合空間２２ｇに嵌め込んだときに、雄型嵌合部１８の第２の頭部１８ｃと雌型嵌合部２２Ｂの間に隙間が形成される以外は、雌型嵌合部２２と同じである。
【００３２】
嵌合具１０Ｂでは、雄型嵌合部１８の第１の頭部１８ｂを雌型嵌合部２２Ｂにおける凹部２２ｅの第１の嵌合空間２２ｆに嵌め込んだ状態では、嵌合具１０と同様に、雄型嵌合部１８の第１の頭部１８ｂの外面と雌型嵌合部２２Ｂの内面との間に隙間が形成される。そのため、嵌合具１０Ｂを用いることで、内容物を散乱させずに袋本体内の空気を安定して抜き出すことができる。
また、雄型嵌合部１８の第１の頭部１８ｂを雌型嵌合部２２Ｂにおける凹部２２ｅの第２の嵌合空間２２ｇに嵌め込んだ状態においては、雄型嵌合部１８の第１の頭部１８ｂの外面が雌型嵌合部２２Ｂの内面に長手方向に沿って連続して密着し、気体が雄型嵌合部１８と雌型嵌合部２２Ａの間を通過することが妨げられている。このように、雄型嵌合部１８と雌型嵌合部２２Ｂを完全に嵌合させた状態では、袋本体における雄型嵌合部１８及び雌型嵌合部２２Ｂの底側と開口部側とが隔離される。
以上のことから、嵌合具１０Ｂにおいても、嵌合具１０と同様に２段階に嵌合を行うことで、内容物を散乱させずに袋本体内の空気を安定して抜き出して、高い密封性で袋本体の開口部を閉じることができる。
【００３３】
また、図６に例示した嵌合具１０Ｃであってもよい。図６における図３と同じ部分は同符号を付して説明を省略する。
嵌合具１０Ｃは、雄型嵌合部１８の代わりに雄型嵌合部１８Ｃを有している以外は嵌合具１０と同じである。雄型嵌合部１８Ｃは、第２の頭部１８ｃを有さない以外は、雄型嵌合部１８と同じである。
【００３４】
嵌合具１０Ｃでは、雄型嵌合部１８Ｃの第１の頭部１８ｂを雌型嵌合部２２における凹部２２ｅの第１の嵌合空間２２ｆに嵌め込んだ状態では、嵌合具１０と同様に、雄型嵌合部１８Ｃの第１の頭部１８ｂの外面と雌型嵌合部２２の内面との間に隙間が形成される。そのため、嵌合具１０Ｃを用いることで、内容物を散乱させずに袋本体内の空気を安定して抜き出すことができる。
また、雄型嵌合部１８Ｃの第１の頭部１８ｂを雌型嵌合部２２における凹部２２ｅの第２の嵌合空間２２ｇに嵌め込んだ状態においては、雄型嵌合部１８Ｃの第１の頭部１８ｂの外面が雌型嵌合部２２の内面に長手方向に沿って連続して密着し、気体が雄型嵌合部１８と雌型嵌合部２２の間を通過することが妨げられている。このように、雄型嵌合部１８Ｃと雌型嵌合部２２を完全に嵌合させた状態では、袋本体における雄型嵌合部１８Ｃ及び雌型嵌合部２２の底側と開口部側とが隔離される。
以上のことから、嵌合具１０Ｃにおいても、嵌合具１０と同様に２段階に嵌合を行うことで、内容物を散乱させずに袋本体内の空気を安定して抜き出して、高い密封性で袋本体の開口部を閉じることができる。
【００３５】
本発明においては、嵌合具１０、１０Ａ、１０Ｂのように、幹部の先端部に設けられた第１の頭部と、該幹部における第１の頭部よりも第１の基材側に設けられた第２の頭部とを有する雄型嵌合部を備えた嵌合具が好ましい。第１の頭部及び第２の頭部を有する雄型嵌合部は、幹部が折れ曲がり難く、雄型嵌合部と雌型嵌合部とを嵌合させることが容易であり、また高い密封性が得られやすい。
【００３６】
＜嵌合具付き袋体＞
以下、本発明の嵌合具付き袋体の一例として、前述した嵌合具１０を備えた嵌合具付き袋体１（以下、「袋体１」という。）について説明する。
本実施形態の袋体１は、図７に示すように、内容物を収容する密封された状態の袋本体３０と、袋本体３０内の上部の内面に、横方向に沿って取り付けられた嵌合具１０とを具備している。
【００３７】
袋本体３０は、第１のフィルム材３２と第２のフィルム材３４が重ね合わされ、それらの周縁部３６が全てヒートシールされることで形成されており、密封された状態になっている。また、袋本体３０における嵌合具１０よりも上部側には、横方向に沿って切断補助線３８が設けられており、その端部にノッチ４０が形成されている。
【００３８】
袋体１では、図８に示すように、嵌合具１０における第１の嵌合部材１２の第１の基材１６が袋本体３０の第１のフィルム材３２に溶着され、第２の嵌合部材１４の第２の基材２０が袋本体３０の第２のフィルム材３４に溶着されている。
【００３９】
袋本体３０の形状は、本実施形態では矩形である。ただし、袋本体３０の形状は矩形には限定されない。また、袋本体３０の大きさも特に限定されず、袋本体３０に収容する内容物によって適宜選定すればよい。
【００４０】
袋本体３０を形成する第１のフィルム材３２と第２のフィルム材３４は、ヒートシールにより嵌合具１０を溶着できるものであればよく、内面側からシーラント層と基材層を少なくとも有する積層フィルムが好ましい。
基材層の材質としては、二軸延伸ナイロン、二軸延伸ポリプロピレン等が挙げられる。
シーラント層の材質としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１のフィルム材３２と第２のフィルム材３４は、シーラント層のみからなる単層フィルムであってもよい。
【００４１】
切断補助線３８は、袋本体３０における嵌合具１０よりも上部を切断して開封するのを補助する線である。切断補助線３８としては、例えば、袋本体３０の第１のフィルム材３２及び第２のフィルム材３４における切断補助線３８の部分をそれ以外の部分に比べて薄肉化した弱化線、ミシン目からなる弱化線、列状に形成された細孔からなる弱化線が挙げられる。また、切断補助線３８は、前記弱化線には限定されず、ハサミやカッター等で切断する位置を示す、印刷等で形成した線であってもよい。
切断補助線３８は、本実施形態では袋本体３０の横方向に沿って形成されているが、この形態には限定されず、袋本体３０の幅方向に対して傾斜して設けられていてもよい。
【００４２】
ノッチ４０の形状は、この例では三角形状であるが、特に限定されず、半円形状、直線状等であってもよい。
袋体１は、嵌合具１０を用いる以外は公知の方法で製造できる。
【００４３】
袋体１は、ノッチ４０から切断補助線３８に沿って袋本体３０の上部を切断して除去することで、図９に示すように、上部に開口部４２を形成して開封することができる。袋体１に形成した開口部４２は、嵌合具１０の雄型嵌合部１８と雌型嵌合部２２を着脱することで繰り返し開閉できる。
袋体１において、嵌合具１０によって袋本体３０の開口部４２を閉じる際には、１段階目として、嵌合具１０の長手方向における少なくとも一部において雄型嵌合部１８の第１の頭部１８ｂのみが雌型嵌合部２２の凹部２２ｅに嵌め込まれるように、雄型嵌合部１８と雌型嵌合部２２とを嵌合させる。そして、雄型嵌合部１８の第１の頭部１８ｂの外面と、雌型嵌合部２２の第１のアーム部２２ａ及び第２のアーム部２２ｂの内面との間に形成された隙間を通じて袋本体３０内の空気を抜く。
その後、嵌合具１０の長手方向にわたって全体的に、雄型嵌合部１８と雌型嵌合部２２とを完全に嵌合させる。これにより、嵌合具１０によって高い密封性で袋本体３０の開口部４２を閉じることができる。
以上のように、袋体１では、嵌合具１０を用いて２段階に嵌合を行うことで、内容物を散乱させずに袋本体３０内の空気を安定して抜き出して、高い密封性で袋本体３０の開口部４２を閉じることができる。
【００４４】
なお、本発明の嵌合具付き袋体は、前述した袋体１には限定されない。
例えば、本発明の嵌合具付き袋体は、嵌合具１０Ａ，１０Ｂ等の嵌合具１０以外の本発明の嵌合具を具備する嵌合具付き袋体であってもよい。
また、嵌合具付き袋体の袋本体は特に限定されず、嵌合具付き袋体の袋本体として知られる様々な形態の袋本体を採用できる。例えば、袋体１は切断補助線３８を利用して開封するまでは密封状態の袋体であるが、予め開口部が形成された袋本体を有する嵌合具付き袋体であってもよい。
【符号の説明】
【００４５】
１  嵌合具付き袋体
１０，１０Ａ，１０Ｂ，１０Ｃ  嵌合具
１２  第１の嵌合部材
１４  第２の嵌合部材
１６  第１の基材
１８，１８Ｃ  雄型嵌合部
１８ａ  幹部
１８ｂ  第１の頭部
１８ｃ  第２の頭部
２０  第２の基材
２２，２２Ａ，２２Ｂ  雌型嵌合部
２２ａ  第１のアーム部
２２ｂ  第２のアーム部
２２ｃ  第１の突条部
２２ｄ  第２の突条部
２２ｅ  凹部
２２ｆ  第１の嵌合空間
２２ｇ  第２の嵌合空間
３０  袋本体
４２  開口部
【図１】
2015016018.tif 000003
【図２】
2015016018.tif 000004
【図３】
2015016018.tif 000005
【図４】
2015016018.tif 000006
【図５】
2015016018.tif 000007
【図６】
2015016018.tif 000008
【図７】
2015016018.tif 000009
【図８】
2015016018.tif 000010
【図９】
2015016018.tif 000011
【図１０】
2015016018.tif 000012
【図１１】
2015016018.tif 000013